(57)【要約】【課題】コンテンツを購入するか否かの判断を適切に促すこと。【解決手段】購入手続きが未だ行われていないコンテンツにあっては、指定したキーボタンを利用者が押し込んでいる場合にのみそのまま表示できるようにした（ステップＳ１０１、Ｓ１０７）。そのため、コンテンツを購入するか否かの判断時に、利用者が所望する箇所を自由に閲覧させることができ、また、その閲覧時に、利用者に負荷がかかるようになっているため、コンテンツの購入を適切に促すことができる。【選択図】図６
2007206782.tif 000002
【特許請求の範囲】
【請求項１】
コンテンツを表示して利用者に閲覧させるコンテンツ閲覧装置であって、
前記コンテンツが有償で配布されるものであり、且つ、利用者によって購入手続きが未だ行われていないものである場合に、前記利用者が所定の身体的な拘束条件を満たしているか否かを判定する判定手段と、その身体的な拘束条件を満たしていると判定されたときにのみ、前記コンテンツを表示する表示手段と、を備えたことを特徴とするコンテンツ閲覧装置。
【請求項２】
前記判定手段は、前記拘束条件を満たしているか否かの判定として、前記利用者が所定のキーボタンを押し続けているか否かを判定することを特徴とする請求項１に記載のコンテンツ閲覧装置。
【請求項３】
前記判定手段による判定に用いられるキーボタンの種類を変更する変更手段を備えたことを特徴とする請求項２に記載のコンテンツ閲覧装置。
【請求項４】
前記表示手段は、前記判定手段で前記拘束条件を満たしていないと判定されたときには、表示内容を消去することを特徴とする請求項１から３のいずれか１項に記載のコンテンツ閲覧装置。
【請求項５】
前記表示手段は、前記判定手段で前記拘束条件を満たしていないと判定されたときには、前記コンテンツをモザイク状に表示することを特徴とする請求項１から３のいずれか１項に記載のコンテンツ閲覧装置。
【請求項６】
前記表示手段は、前記判定手段で前記拘束条件を満たしていないと判定されたときには、前記コンテンツを低い解像度で表示することを特徴とする請求項１から３のいずれか１項に記載のコンテンツ閲覧装置。
【請求項７】
前記表示手段は、前記判定手段で前記拘束条件を満たしていないと判定されたときには、前記コンテンツを縮小して表示することを特徴とする請求項１から３のいずれか１項に記載のコンテンツ閲覧装置。
【請求項８】
前記表示手段は、前記判定手段で前記拘束条件を満たしていないと判定されたときには、購入前状態であることを示すメッセージを表示することを特徴とする請求項１から３のいずれか１項に記載のコンテンツ閲覧装置。
【発明の詳細な説明】
【技術分野】
【０００１】
本発明は、コンテンツを表示して利用者に閲覧させるコンテンツ閲覧装置に関する。
【背景技術】
【０００２】
従来、例えば、暗号鍵で一部を暗号化された電子書籍を配信し、その暗号化された箇所を復号化可能な閲覧鍵を販売するコンテンツサーバと、その電子書籍を取得し、前記閲覧鍵が購入されていない場合には前記電子書籍の前記暗号化がされていない箇所だけを閲覧可能に表示し、前記閲覧鍵が購入された場合には前記電子書籍全体を閲覧可能に表示する電子書籍ビューアと、を備えた電子書籍システムがある（例えば、特許文献１参照）。
【０００３】
このような電子書籍システムにあっては、例えば、電子書籍の購入前に、前記暗号化されていない箇所を利用者に閲覧させて前記電子書籍を購入するか否かの判断を行わせることで、電子書籍の購入を利用者に促すようになっている。
【特許文献１】特開２０００−１１３０５０号公報
【発明の開示】
【発明が解決しようとする課題】
【０００４】
しかしながら、上記従来の技術にあっては、電子書籍の購入前は予め決められた箇所（暗号化されていない箇所）しか閲覧させることができないので、例えば、電子書籍を購入するか否かの判断時に利用者が重要視している箇所が暗号化されていて閲覧できないようになっている場合には、コンテンツの購入を適切に促すことが困難となる恐れがあった。
本発明は、上記従来の技術の未解決の課題を解決することを目的とするものであって、コンテンツを購入するか否かの判断を適切に促すことができるコンテンツ閲覧装置を提供することを課題とする。
【課題を解決するための手段】
【０００５】
上記課題を解決するために、本発明のコンテンツ閲覧装置は、コンテンツを表示して利用者に閲覧させるコンテンツ閲覧装置であって、前記コンテンツが有償で配布されるものであり、且つ、利用者によって購入手続きが未だ行われていないものである場合に、前記利用者が所定の身体的な拘束条件を満たしているか否かを判定する判定手段と、その身体的な拘束条件を満たしていると判定されたときにのみ、前記コンテンツを表示する表示手段と、を備えたことを特徴とする。
【０００６】
また、前記判定手段は、前記拘束条件を満たしているか否かの判定として、前記利用者が所定のキーボタンを押し続けているか否かを判定するようにしてもよい。
さらに、前記判定手段による判定に用いられるキーボタンの種類を変更する変更手段を備えてもよい。
また、前記表示手段は、前記判定手段で前記拘束条件を満たしていないと判定されたときには、表示内容を消去してもよい。
【０００７】
さらに、前記表示手段は、前記判定手段で前記拘束条件を満たしていないと判定されたときには、前記コンテンツをモザイク状に表示してもよい。
さらに、前記表示手段は、前記判定手段で前記拘束条件を満たしていないと判定されたときには、前記コンテンツを低い解像度で表示してもよい。
また、前記表示手段は、前記判定手段で前記拘束条件を満たしていないと判定されたときには、前記コンテンツを縮小して表示してもよい。
【０００８】
さらに、前記表示手段は、前記判定手段で前記拘束条件を満たしていないと判定されたときには、購入前状態であることを示すメッセージを表示してよい。
このような構成によれば、コンテンツを購入するか否かの判断時に、利用者が所望する箇所を自由に閲覧させることができ、また、その閲覧時に、利用者に負荷がかかる（楽には閲覧できない）ようになっているため、コンテンツの購入を適切に促すことができる。
【発明を実施するための最良の形態】
【０００９】
以下、本発明のコンテンツ閲覧装置を備えたコンテンツ配信システムの一実施形態を、図面に基づいて説明する。
すなわち、このコンテンツ配信システムは、電子書籍等のコンテンツを配信し、そのコンテンツに対応する解除キーを販売するコンテンツ配信サーバと、そのコンテンツを取得し、前記解除キーが購入されていない場合には、利用者が特定のキーボタンを押し込んでいるときだけ前記コンテンツを閲覧可能に表示し、前記解除キーが購入された場合には、前記コンテンツを常に閲覧可能に表示するコンテンツ閲覧端末と、を備えて構成される。
【００１０】
＜コンテンツ配信システムの構成＞
図１は、本実施形態のコンテンツ配信システムの概略構成を示すブロック図である。この図１に示すように、コンテンツ配信システム１は、コンテンツ配信サーバ２、及び複数のコンテンツ閲覧端末３を含んで構成される。
【００１１】
＜コンテンツ配信サーバの構成＞
図２は、コンテンツ配信サーバの機能構成を示すブロック図である。この図２に示すように、コンテンツ配信サーバ２は、コンテンツ蓄積部４、コンテンツ送信部５、利用者情報受信部６、解除キー生成部７、解除キー送信部８、及び課金処理部９を含んで構成される。
コンテンツ蓄積部４は、配信対象である複数のコンテンツのデータを格納している。
コンテンツ送信部５は、コンテンツ閲覧端末３からの要求に従い、コンテンツ蓄積部４に格納されているコンテンツのデータをコンテンツ閲覧端末３に送信する。
【００１２】
利用者情報受信部６は、コンテンツ閲覧端末３から送信される利用者情報（コンテンツ閲覧端末３を操作している利用者を特定可能な情報）、端末情報（コンテンツ閲覧端末３を特定可能な情報）及び購入コンテンツ情報（利用者が購入するコンテンツを特定可能な情報）を受信し、その受信結果を解除キー生成部７に転送する。
解除キー生成部７は、利用者情報受信部６から転送される端末情報と購入コンテンツ情報とに基づいて解除キー（端末情報で特定されるコンテンツ閲覧端末３に対応づけられ、購入コンテンツ情報で特定されるコンテンツの購入を示すキー）を生成する。
【００１３】
解除キー送信部８は、解除キー生成部７で生成された解除キーを、その解除キーに対応づけられているコンテンツ閲覧端末３に送信する。
課金処理部９は、解除キー生成部７で解除キーが生成されると、利用者情報受信部６で受信された利用者情報で特定される利用者にコンテンツ料金を課金する処理（課金処理）を行う。
【００１４】
＜コンテンツ閲覧端末の構成＞
図３は、コンテンツ閲覧端末の機能構成を示すブロック図である。この図３に示すように、コンテンツ閲覧端末３は、コンテンツ受信部１０、コンテンツ格納部１１、利用者情報送信部１３、解除キー受信部１４、及び解除キー格納部１５を含んで構成される。
コンテンツ受信部１０は、コンテンツ配信サーバ２（コンテンツ送信部５）から送信されるコンテンツのデータを受信し、その受信結果をコンテンツ格納部１１に格納させる。
【００１５】
コンテンツ格納部１１は、コンテンツ受信部１０で受信されたコンテンツのデータを格納する。
利用者情報格納部１２は、利用者を特定可能な利用者情報、自装置を特定可能な端末情報を格納する。
利用者情報送信部１３は、利用者がコンテンツの購入手続きをすると、利用者情報格納部１２に格納されている利用者情報及び端末情報、並びに購入したコンテンツを特定可能な購入コンテンツ情報をコンテンツ配信サーバ２（利用者情報受信部６）に送信する。
【００１６】
解除キー受信部１４は、コンテンツ配信サーバ２（解除キー送信部８）から送信される解除キーを受信し、その受信結果を解除キー格納部１５に格納させる。
解除キー格納部１５は、解除キー受信部１４で受信された解除キーを格納する。
キーボタン入力部１６は、購入手続き前のコンテンツの閲覧時に、利用者に特定のキーボタンを押し込み操作させ、その操作結果をコンテンツ表示部１７に出力する。
【００１７】
コンテンツ表示部１７は、利用者がコンテンツの表示操作をすると、そのコンテンツの解除キーが解除キー格納部１５に格納されていない場合には、キーボタン入力部１６が適切に操作されているときだけ前記コンテンツを閲覧可能に表示し、解除キー格納部１５に解除キーが格納されている場合には、前記コンテンツを常に閲覧可能に表示する。
【００１８】
＜コンテンツ閲覧装置のより具体的な構成＞
図４は、コンテンツ閲覧端末のより具体的構成を示すブロック図である。この図４に示すように、コンテンツ閲覧端末３は、通信制御部１８、記憶装置１９、キーボタン制御部２０、ＲＯＭ２１、ＲＡＭ２２、ＣＰＵ２３、ディスプレイ制御部２４、ディスプレイ２５、及び立ち読みモード制御部２６を含んで構成される。
【００１９】
通信制御部１８は、コンテンツ配信サーバ２から送信されるコンテンツのデータ及び解除キーを受信して記憶装置１９に格納させ、また、ＣＰＵ２３からの要求に従い、利用者情報、端末情報及び購入コンテンツ情報をコンテンツ配信サーバ２に送信する。
記憶装置１９は、通信制御部１８で受信されたコンテンツのデータ及び解除キーを格納する。
【００２０】
キーボタン制御部２０は、コンテンツ閲覧端末３の操作に用いられるキーボタンが押し込まれると、そのキーボタンに応じた信号（押し込み信号）をＣＰＵ２３に出力する。
ＲＯＭ２１は、コンテンツ閲覧端末３の各部を制御するための各種プログラム、及びそれらプログラムの実行に用いられる各種データを格納する。
ＲＡＭ２２は、ＣＰＵ２３による各種処理の実行時にワークエリアを形成すると共に、それら処理の処理結果を格納する。
【００２１】
ＣＰＵ２３は、キーボタン制御部２０から出力される押し込み信号に従って、ＲＯＭ２１に格納されているプログラムを読み出し、ＲＡＭ２２に展開して各種処理を実行し、それら処理の処理結果をＲＡＭ２２に格納させる。
ディスプレイ制御部２４は、ＣＰＵ２３による各種処理の実行時に、当該処理の処理結果が表示されるようにディスプレイ２５を駆動する。
【００２２】
ディスプレイ２５は、ディスプレイ制御部２４で駆動されて各種情報を表示画面に表示する。
立ち読みモード制御部２６は、利用者がコンテンツの表示操作をするとキーボタン変更処理（後述）を実行する。
図５は、立ち読みモード制御部２６の機能構成を示すブロック図である。この図５に示すように、立ち読みモード制御部２６は、キーボタン監視部２７、時間管理部２８、キーボタン指示部２９、及びページ表示生成部３０を含んで構成される。
【００２３】
キーボタン監視部２７は、コンテンツ閲覧端末３から出力されているキーボタンの押し込み信号を検出する。
時間管理部２８は、キーボタン監視部２７で監視するキーボタン押し込み信号を定期的に変更するための経過時間を計時する。
キーボタン指示部２９は、時間管理部２８の計時結果が所定時間（例えば、１０秒）を経過するたびに、利用者に押し込み操作させるキーボタンを変更する。
【００２４】
ページ表示生成部３０は、利用者がコンテンツの表示操作をすると、そのコンテンツの解除キーが記憶装置１９に格納されていない場合には、コンテンツ閲覧端末３から適切な押し込み信号（予め定められているキーボタン、或いはキーボタン指示部２９でキーボタンが変更された後には、その変更後のキーボタン）が出力されていることがキーボタン監視部２７で検出されたときだけ前記コンテンツをディスプレイ２５に表示させる表示指令をディスプレイ制御部２４に出力し、記憶装置１９に解除キーが格納されている場合には、前記コンテンツを常に表示させる表示指令をディスプレイ制御部２４に出力する。
【００２５】
＜立ち読みモード制御部の動作＞
次に、立ち読みモード制御部２６で実行されるキーボタン変更処理を図６のフローチャートに基づいて説明する。このキーボタン変更処理は、利用者がコンテンツの表示操作をすると実行される処理であって、まず、そのステップＳ１０１で、閲覧モードを判定し、通常モードである場合には（通常）ステップＳ１０２に移行し、立ち読みモードである場合には（立ち読み）ステップＳ１０３に移行する。
【００２６】
具体的には、前記表示操作がされたコンテンツに対応する解除キーが記憶装置１９に格納されている場合には通常モードであると判定し、前記コンテンツに対応する解除キーが記憶装置に格納されていない場合には立ち読みモードであると判定する。
前記ステップＳ１０２では、前記表示操作がされたコンテンツをそのままディスプレイ２５に表示させる表示指令（通常ページ表示させる表示指令）をディスプレイ制御部２４に出力してから、この演算処理を終了する。
【００２７】
前記ステップＳ１０３では、前記表示操作がされたコンテンツをモザイク状にディスプレイ２５に表示させるモザイク表示指令をディスプレイ制御部２４に出力する。
次にステップＳ１０４に移行して、利用者に押し込み操作させるキーボタンを指示するメッセージをディスプレイ２５に表示させるメッセージ表示指令をディスプレイ制御部２４に出力する。なお、最初の実行時には、前記押し込み操作させるキーボタンとして、予め定められた２個以上のキーボタンを押し込み操作させるメッセージを表示する。
【００２８】
次にステップＳ１０５に移行して、キーボタン制御部２０から出力される押し込み信号の監視を開始する。
次にステップＳ１０６に移行して、キーボタン監視部２７で監視するキーボタン押し込み信号を定期的に変更するための経過時間の計時を開始する。
次にステップＳ１０７に移行して、キーボタン制御部２０から出力される押し込み信号に基づいて、前記ステップＳ１０４で指示したキーボタンが押し込まれているか否かを判定する。そして、押し込まれている場合には（押下）ステップＳ１０８に移行し、押し込まれていない場合には（開放）前記ステップＳ１０３に移行する。
【００２９】
前記ステップＳ１０８では、前記表示操作がされたコンテンツを通常ページ表示させる通常表示指令をディスプレイ制御部２４に出力する。
次にステップＳ１０９に移行して、前記ステップＳ１０６で開始された経過時間の計時結果が所定の設定時間（例えば、１０秒）以上であるか否かを判定する。そして、設定時間以上である場合には（設定時間≦計時時間）ステップＳ１１０に移行し、設定時間未満である場合には（設定時間＞計時時間）前記ステップＳ１０７に移行する。
前記ステップＳ１１０では、利用者に押し込み操作させるキーボタンを変更してから、前記ステップＳ１０３に移行する。
【００３０】
＜コンテンツ配信システムの具体的動作＞
次に、本実施形態のコンテンツ配信システムの具体的動作を詳細に説明する。
まず、購入を検討しているコンテンツのデータをコンテンツ閲覧端末３でコンテンツ配信サーバ２から取得し、そのコンテンツの表示操作をしたとする。すると、コンテンツ閲覧端末３によって、キーボードボタン変更処理が実行され、図６に示すように、まず、そのステップＳ１０１の判定が「立ち読み」となり、ステップＳ１０３で、モザイク表示指令がディスプレイ制御部２４に出力される。そして、ディスプレイ制御部２４によって、前記表示操作がされたコンテンツがモザイク状にディスプレイ２５に表示される。
【００３１】
また、ステップＳ１０４で、メッセージ表示指令がディスプレイ制御部２４に出力され、ディスプレイ制御部２４によって、図７（ａ）（ｂ）に示すように、利用者に押し込み操作させるキーボタン（予め定められた３個のキーボタン）を指示するメッセージがディスプレイ２５に表示される（モザイク状とされたコンテンツの下方に表示される）。
次いで、S１０５で立ち読みモード制御部２６はキーボタン制御部２０から出力される押し込み信号の監視を開始し、また、S１０６で監視するキーボタン押し込み信号を定期的に変更するための経過時間の計時を開始する。
【００３２】
そして、S１０４で表示されたメッセージをみた利用者が前記指示されたキーボタンを押し込んだとする。すると、S１０７の判定が「押下」となり、〕ステップＳ１０８で、通常表示指令がディスプレイ制御部２４に出力され、ディスプレイ制御部２４によって、図８に示すように、前記コンテンツがそのままディスプレイ２５に表示される。
さらに、ステップＳ１０９の判定が「設定時間＞計時時間」となり、利用者が前記キーボタンを押し続けていると前記ステップＳ１０７から上記フローが繰り返し実行される。
【００３３】
上記フローが繰り返し実行されるうちに、前記キーボタン押し込み信号の監視経過時間が１０秒以上経過したとする。すると、前記ステップＳ１０９の判定が「設定時間≦計時時間」となり、ステップＳ１１０で、利用者に押し込み操作させるキーボタンが変更され、前記ステップＳ１０３から上記フローが繰り返し実行される。
すなわち、前記ステップＳ１０３で、前記表示操作がされたコンテンツが再びモザイク状にディスプレイ２５に表示され、前記ステップＳ１０４で、利用者に押し込み操作させる新しいキーボタンを指示するメッセージがディスプレイ２５に表示される。そして、そのキーボタンを利用者が押し込んだとすると、前記ステップＳ１０５〜Ｓ１０８を経て、前記表示操作がされたコンテンツが再びそのままディスプレイ２５に表示される。
【００３４】
このように、本実施形態のコンテンツ配信システム１にあっては、購入手続きが未だ行われていないコンテンツにあっては、指定したキーボタンを利用者が押し込んでいる場合にのみそのまま表示できるようにした。そのため、コンテンツを購入するか否かの判断時に、利用者が所望する箇所を自由に閲覧させることができ、また、その閲覧時に、利用者に負荷がかかるようになっているため、コンテンツの購入を適切に促すことができる。
【００３５】
なお、上記実施形態では、図４の立ち読みモード制御部２６、図５のページ表示生成部３０、及び図６のステップＳ１０７が特許請求の範囲に記載の判定手段を構成し、以下同様に、図４のディスプレイ制御部２４、ディスプレイ２５、立ち読みモード制御部２６、図５のページ表示生成部３０、及び図６のステップＳ１０８が表示手段を構成し、図６のステップＳ１１０が変更手段を構成する。
【００３６】
また、本発明のコンテンツ閲覧装置は、上記実施の形態の内容に限定されるものではなく、本発明の趣旨を逸脱しない範囲で適宜変更可能である。
上記実施形態では、所定時間が経過するたびに、押し込み操作させるキーボタンを変更する例を示したが、これに限られるものではない。例えば、コンテンツの表示ページが変わるたびに変更するようにしてもよい。具体的には、図９に示すように、キーボタン変更処理のステップＳ１０６を省き、また、ステップＳ１０９に代え、表示ページを切り替えるための操作が行われたか否かを判定するステップＳ１０９’を加えてもよい。
【００３７】
また、指定したキーボタンを押し込み操作している場合にのみ、購入手続き前のコンテンツを表示できるようにした例を示したが、これに限られるものではない。例えば、コンテンツ閲覧端末３の揺れを検出する加速度センサを設け、その加速度センサによって、利用者がコンテンツ閲覧端末３を手に持っているときに発生する揺れ（ブレ）が検出されている場合にのみ、購入手続き前のコンテンツを表示できるようにしてもよい。
【００３８】
さらに、例えば、コンテンツ閲覧端末３の温度変化を検出する温度センサを左右端に設け、その温度センサによって、利用者がコンテンツ閲覧端末３の左右端を持っているときに生じる温度変化が検出されている場合にのみ表示できるようにしてもよい。
また、例えば、コンテンツ閲覧端末３の周囲環境の明るさを検出する光センサを設け、その光センサによって、コンテンツを読みやすい明るい環境ではなく、コンテンツを読みにくい多少暗い環境であることが検出された場合にのみ表示できるようにしてもよい。
【００３９】
さらに、指定したキーボタンを押し込み操作している場合に、購入手続き前のコンテンツを表示できるようにしたときには、キーボタンを押し込むことで、他のキーボタン操作（表示内容の切替操作）ができなくなるので、一定時間が経過するたびに表示コンテンツのページが自動的にめくられるようにしてもよい。そのようにすれば、小説等、ページ順に閲覧するようなコンテンツに好適である。またその際、一旦、最終ページまで表示したコンテンツは、購入手続きがされるまで再度の表示を禁止するようにしてもよい。
【００４０】
また、指定したキーボタンの押し込み操作後に、キーボタンを数秒間だけ放しても表示状態を保持してもよい。そのようにすれば、キーボタンを放した数秒の間に他のキー操作を行うことができ、辞書等、ページ順に閲覧しないコンテンツに好適である。
さらに、例えば、押し込み操作させるキーボタンの数や、押し続ける時間間隔をコンテンツ内容によって変化させることで、拘束力に強弱を与えるようにしてもよい。
【００４１】
すなわち、小説等、文字を主とするコンテンツの場合には指示の変更間隔を長くし、マンガ、写真集のようなパッと見で内容を閲覧できてしまうコンテンツの場合には指示を頻繁に変更したり、押し込み操作させるキーボタンの数を増やしたりしてもよい。
また、コンテンツ全体に対してだけではなく、コンテンツのページ単位で拘束力に強弱を与えるようにしてもよい。すなわち、挿絵ページを表示する場合には拘束力をより強くし、文章ページを表示する場合には拘束力をより弱くするようにしてもよい。
【００４２】
具体的には、配信されるコンテンツデータに拘束力のレベルを示す属性を付与し、その属性値によってコンテンツ閲覧端末３でページ表示時の制御を行うことで実現できる。
さらに、キーボタンの押し込み操作がされていない場合には、コンテンツをモザイク状に表示する例を示したが、これに限られるものではない。例えば、図１０に示すように、表示内容を消去してもよいし、コンテンツを縮小して表示してもよい。
【００４３】
また、押し込み操作させるキーボタンを示すメッセージを表示する例を示したが、これに限られるものではない。例えば、図１１に示すように、押し込み操作させるキーボタン自体を発光させ、その発光しているキーボタンを押し込ませるようにしてもよい。
【図面の簡単な説明】
【００４４】
【図１】コンテンツ配信システムの概略構成を示すブロック図である。
【図２】図１のコンテンツ配信サーバの機能構成を示すブロック図である。
【図３】図１のコンテンツ閲覧装置の機能構成を示すブロック図である。
【図４】図１のコンテンツ閲覧装置の具体的構成を示すブロック図である。
【図５】図４の立ち読みモード制御部の機能構成を示すブロック図である。
【図６】キーボタン変更処理を示すフローチャートである。
【図７】コンテンツ配信システムの動作を説明するための説明図である。
【図８】コンテンツ配信システムの動作を説明するための説明図である。
【図９】キーボタン変更処理の変形例を示すフローチャートである。
【図１０】コンテンツ閲覧装置の変形例を説明する説明図である。
【図１１】コンテンツ閲覧装置の変形例を説明する説明図である。
【符号の説明】
【００４５】
１はコンテンツ配信システム、２はコンテンツ配信サーバ、３はコンテンツ閲覧端末、４はコンテンツ蓄積部、５はコンテンツ送信部、６は利用者情報受信部、７は解除キー生成部、８は解除キー送信部、９は課金処理部、１０はコンテンツ受信部、１１はコンテンツ格納部、１２は利用者情報格納部、１３は利用者情報送信部、１４は解除キー受信部、１５は解除キー格納部、１６はキーボタン入力部、１７はコンテンツ表示部、１８は通信制御部、１９は記憶装置、２０はキーボタン制御部、２１はＲＯＭ、２２はＲＡＭ、２３はＣＰＵ、２４はディスプレイ制御部、２５はディスプレイ、２６は立ち読みモード制御部、２７はキーボタン監視部、２８は時間管理部、２９はキーボタン指示部、３０はページ表示生成部
【図１】
2007206782.tif 000003
【図２】
2007206782.tif 000004
【図３】
2007206782.tif 000005
【図４】
2007206782.tif 000006
【図５】
2007206782.tif 000007
【図６】
2007206782.tif 000008
【図７】
2007206782.tif 000009
【図８】
2007206782.tif 000010
【図９】
2007206782.tif 000011
【図１０】
2007206782.tif 000012
【図１１】
2007206782.tif 000013